(57)【特許請求の範囲】
【請求項１】
眼鏡フレームにウェアラブル機器を装着するための支持部材であって、
眼鏡フレームのツル部に押し付けられる第１押付部を有する眼鏡取付部と、
該眼鏡取付部から眼鏡フレームのツル部に略平行に延在し、前記ウェアラブル機器が取り付けられる支持フレーム部と、
該支持フレーム部に結合され、装着者の頭部に当接される頭部当接部と
を具え、
前記支持フレーム部は、眼鏡フレームのツル部の外側に配置され、
前記頭部当接部は、眼鏡フレームのツル部の内側に配置され、かつ眼鏡フレームのツル部の内側に湾曲し、
前記支持フレーム部および前記頭部当接部は、眼鏡フレームのツル部を跨ぐ支持ブリッジ部を介して連結されることを特徴とする機器装着用支持部材。
【請求項２】
前記頭部当接部が、眼鏡フレームのツル部に接する支点部を有し、
前記支持部材が取り付けられた眼鏡フレームを装着者に装着した際に、前記頭部当接部が装着者の頭部によって外側に押し広げられることにより、
前記第１押付部が前記支点部を支点として眼鏡フレームのツル部の外側から内側方向へ押し付けられる請求項１に記載の機器装着用支持部材。
【請求項３】
前記第１押付部および／または前記支点部は、眼鏡フレームのツル部の側面形状に沿った形状である請求項２に記載の機器装着用支持部材。
【請求項４】
前記眼鏡取付部の前記第１押付部は、眼鏡フレームのツル部の内側に配置され、
前記頭部当接部は、眼鏡フレームのツル部の内側に押し付けられる第２押付部を有し、
前記眼鏡取付部は、前記支持フレーム部に連結して眼鏡フレームのツル部の外側に配置される外側取付部と、前記第１押付部および前記外側取付部を、眼鏡フレームのツル部を跨って連結する取付ブリッジ部とをさらに有し、
前記支持部材を眼鏡フレームに取り付けた際に、前記支持フレーム部の弾性力により、
前記第１押付部が眼鏡フレームのツル部の内側から外側方向へ押し付けられ、
前記第２押付部が眼鏡フレームのツル部の内側から外側方向へ押し付けられることを特徴とする請求項１に記載の機器装着用支持部材。
【請求項５】
前記眼鏡取付部の前記第１押付部は、眼鏡フレームのツル部の内側に配置され、
前記頭部当接部は、眼鏡フレームのツル部の内側に押し付けられる第２押付部を有し、
前記眼鏡取付部は、前記支持フレーム部に連結して眼鏡フレームのツル部の外側に配置される外側取付部、および、前記第１押付部と前記外側取付部または支持フレーム部とを、眼鏡フレームのツル部を跨って連結する取付ブリッジ部をさらに有し、
前記支持部材を眼鏡フレームに取り付けた際に、前記取付ブリッジ部の弾性力により、
前記第１押付部が眼鏡フレームのツル部の内側から外側方向へ押し付けられることを特徴とする請求項１に記載の機器装着用支持部材。
【請求項６】
前記第１押付部および／または前記第２押付部は、眼鏡フレームのツル部の側面形状に沿った形状である請求項４または５に記載の機器装着用支持部材。
【請求項７】
前記取付ブリッジ部は、眼鏡フレームのツル部の上側に跨る請求項４、５または６に記載の機器装着用支持部材。
【請求項８】
前記支持部材を眼鏡フレームに取り付けた際に、前記機器装着用支持部材の上下方向または左右方向の移動を防止するための移動防止部を有する請求項１〜７のいずれか一項に記載の機器装着用支持部材。
【請求項９】
前記頭部当接部は、眼鏡フレームのツル部の内側に湾曲した先端部が、装着者の頭部に沿った複数方向へ分岐または屈曲する請求項１〜８のいずれか一項に記載の機器装着用支持部材。
【請求項１０】
前記支持ブリッジ部は、眼鏡フレームのツル部の上側に跨る請求項１〜９のいずれか一項に記載の機器装着用支持部材。
【請求項１１】
前記支持フレーム部は、前記ウェアラブル機器を該ウェアラブル機器の姿勢を調整可能に取り付ける結合手段を有する請求項１〜１０のいずれか一項に記載の機器装着用支持部材。
【請求項１２】
前記結合手段は、前記ウェアラブル機器を眼鏡フレームのツル部の延在方向に対してピッチおよびロールの少なくとも一つの方向に回転可能な機構を有する請求項１１に記載の機器装着用支持部材。
【請求項１３】
前記取付ブリッジ部は、前記第１押付部および前記外側取付部を、眼鏡フレームのツル部を跨って直接連結する請求項４〜１２のいずれか一項に記載の機器装着用支持部材。
【発明の詳細な説明】
【技術分野】
【０００１】
本発明は、機器装着用支持部材に関し、特に、眼鏡フレームにウェアラブル機器を装着するための支持部材に関するものである。
【０００２】
近年、ウェアラブル機器として、眼鏡フレームに装着可能な画像表示装置や、小型カメラ等が提案されている。このようなウェアラブル機器を眼鏡フレームに装着する方法として、例えば特許文献１に示されているように、機器にクリップを設けておき、このクリップで眼鏡フレームを挟むことにより機器を装着する方法や、特許文献２に示されているように、機器と眼鏡フレームとをネジ止めすることにより機器を装着する方法などが知られている。
【先行技術文献】
【特許文献】
【０００３】
【特許文献１】米国特許４７５３５１４号公報
【特許文献２】特表２００１−５２２０６４号公報
【発明の概要】
【発明が解決しようとする課題】
【０００４】
しかしながら、特許文献１に示されるように、クリップを用いて機器を眼鏡フレームに装着する方法では、クリップに、機器を眼鏡フレームに固定するだけの強いバネ力が要求されることになり、そのような強いバネ力を有するクリップの操作は難しい。また、強いバネ力を有するクリップで機器を眼鏡フレームに取り付けたとしても、安定性の面では十分とは言えず、使用時の不意な接触等で容易に取り付け状態がズレたり、機器が脱落したりするおそれもある。
【０００５】
また、特許文献２に示されたように、ネジを用いて機器を眼鏡フレームに装着する方法では、ネジの取付および取外しが煩雑である。
【０００６】
さらに、上記特許文献１および特許文献２に記載されたいずれの方法においても、機器が取り付けられる眼鏡フレームのツル部の形状によっては、機器が眼鏡フレームのツル部の延在方向を軸として回転してしまうおそれがある。
【０００７】
したがって、かかる点に鑑みてなされた本発明の目的は、眼鏡フレームへの特別な加工なしに、眼鏡の片側に簡単かつ安定的にウェアラブル機器を装着可能な機器装着用支持部材を提供することにある。
【課題を解決するための手段】
【０００８】
上記課題を解決するため、本発明の要旨構成は以下の通りである。
（１）眼鏡フレームにウェアラブル機器を装着するための支持部材であって、眼鏡フレームのツル部に押し付けられる第１押付部を有する眼鏡取付部と、該眼鏡取付部から眼鏡フレームのツル部に略平行に延在し、前記ウェアラブル機器が取り付けられる支持フレーム部と、該支持フレーム部に結合され、装着者の頭部に当接される頭部当接部とを具え、前記支持フレーム部は、眼鏡フレームのツル部の外側に配置され、前記頭部当接部は、眼鏡フレームのツル部の内側に配置され、かつ眼鏡フレームのツル部の内側に湾曲し、前記支持フレーム部および前記頭部当接部は、眼鏡フレームのツル部を跨ぐ支持ブリッジ部を介して連結されることを特徴とする機器装着用支持部材。
【０００９】
（２）前記頭部当接部が、眼鏡フレームのツル部に接する支点部を有し、前記支持部材が取り付けられた眼鏡フレームを装着者に装着した際に、前記頭部当接部が装着者の頭部によって外側に押し広げられることにより、前記第１押付部が前記支点部を支点として眼鏡フレームのツル部の外側から内側方向へ押し付けられる上記（１）に記載の機器装着用支持部材。
【００１０】
（３）前記第１押付部および／または前記支点部は、眼鏡フレームのツル部の側面形状に沿った形状である上記（２）に記載の機器装着用支持部材。
【００１１】
（４）前記眼鏡取付部の前記第１押付部は、眼鏡フレームのツル部の内側に配置され、前記頭部当接部は、眼鏡フレームのツル部の内側に押し付けられる第２押付部を有し、前記眼鏡取付部は、前記支持フレーム部に連結して眼鏡フレームのツル部の外側に配置される外側取付部と、前記第１押付部および前記外側取付部を、眼鏡フレームのツル部を跨って連結する取付ブリッジ部とをさらに有し、前記支持部材を眼鏡フレームに取り付けた際に、前記支持フレーム部の弾性力により、前記第１押付部が眼鏡フレームのツル部の内側から外側方向へ押し付けられ、前記第２押付部が眼鏡フレームのツル部の内側から外側方向へ押し付けられることを特徴とする上記（１）に記載の機器装着用支持部材。
【００１２】
（５）前記眼鏡取付部の前記第１押付部は、眼鏡フレームのツル部の内側に配置され、前記頭部当接部は、眼鏡フレームのツル部の内側に押し付けられる第２押付部を有し、前記眼鏡取付部は、前記支持フレーム部に連結して眼鏡フレームのツル部の外側に配置される外側取付部、および、前記第１押付部と前記外側取付部または支持フレーム部とを、眼鏡フレームのツル部を跨って連結する取付ブリッジ部をさらに有し、前記支持部材を眼鏡フレームに取り付けた際に、前記取付ブリッジ部の弾性力により、前記第１押付部が眼鏡フレームのツル部の内側から外側方向へ押し付けられることを特徴とする請求項１に記載の機器装着用支持部材。
【００１３】
（６）前記第１押付部および／または前記第２押付部は、眼鏡フレームのツル部の側面形状に沿った形状である上記（４）または（５）に記載の機器装着用支持部材。
【００１４】
（７）前記取付ブリッジ部は、眼鏡フレームのツル部の上側に跨る上記（４）、（５）または（６）に記載の機器装着用支持部材。
【００１５】
（８）前記支持部材を眼鏡フレームに取り付けた際に、前記機器装着用支持部材の上下方向または左右方向の移動を防止するための移動防止部を有する上記（１）〜（７）のいずれか一に記載の機器装着用支持部材。
【００１６】
（９）前記頭部当接部は、眼鏡フレームのツル部の内側に湾曲した先端部が、装着者の頭部に沿った複数方向へ分岐または屈曲する上記（１）〜（８）のいずれか一に記載の機器装着用支持部材。
【００１７】
（１０）前記支持ブリッジ部は、眼鏡フレームのツル部の上側に跨る上記（１）〜（９）のいずれか一に記載の機器装着用支持部材。
【００１８】
（１１）前記支持フレーム部は、前記ウェアラブル機器を該ウェアラブル機器の姿勢を調整可能に取り付ける結合手段を有する上記（１）〜（１０）のいずれか一に記載の機器装着用支持部材。
【００１９】
（１２）前記結合手段は、前記ウェアラブル機器を眼鏡フレームのツル部の延在方向に対してピッチおよびロールの少なくとも一つの方向に回転可能な機構を有する上記（１１）に記載の機器装着用支持部材。
【００２０】
（１３）前記取付ブリッジ部は、前記第１押付部および前記外側取付部を、眼鏡フレームのツル部を跨って直接連結する上記（４）〜（１２）のいずれか一に記載の機器装着用支持部材。
【発明の効果】
【００２１】
本発明によれば、眼鏡フレームへの特別な加工なしに、眼鏡の片側に簡単かつ安定的にウェアラブル機器を装着可能な機器装着用支持部材を提供することができる。
【図面の簡単な説明】
【００２２】
【図１】本発明の第１実施形態に従う機器装着用支持部材を模式的に示した図である。
【図２】本発明の第１実施形態に従う機器装着用支持部材の頭部当接部の作用を説明するための図である。
【図３】本発明の第１実施形態に従う機器装着用支持部材の別の頭部当接部の作用を説明するための図である。
【図４】本発明の第１実施形態に従う機器装着用支持部材の別の頭部当接部およびその作用を説明するための図である。
【図５】本発明の第１実施形態に従う機器装着用支持部材の眼鏡取付部周辺の変形例を示した図である。
【図６】本発明の第２実施形態に従う機器装着用支持部材を模式的に示した図である。
【図７】本発明の第２実施形態に従う機器装着用支持部材の結合手段およびその作用を説明するための図である。
【図８】本発明の第２実施形態に従う機器装着用支持部材を眼鏡フレームに取り付ける方法の一例を示した図である。
【図９】本発明の第２実施形態に従う機器装着用支持部材を眼鏡フレームに取り付ける別の方法の一例を示した図である。
【図１０】本発明の第２実施形態に従う機器装着用支持部材の支持ブリッジ部の変形例および取付方法を示した図である。
【図１１】本発明の第３実施形態に従う機器装着用支持部材の眼鏡取付部を示した図である。
【図１２】本発明の第３実施形態に従う機器装着用支持部材の眼鏡取付部の変形例を示した図である。
【発明を実施するための形態】
【００２３】
以下、本発明に従う機器装着用支持部材の実施形態について図面を参照しながら説明する。
【００２４】
図１(a)は、本発明の第１実施形態に従う機器装着用支持部材１００を模式的に示した斜視図であり、図１(b)は、ウェアラブル機器Ｗを装着した、図１(a)に示した機器装着用支持部材１００を取り付けた眼鏡フレームを、装着者に装着した状態を模式的に示す平面図である。なお、以下の実施形態では、ウェアラブル機器Ｗとして頭部装着型の画像表示装置を例示する。
【００２５】
図１(a),(b)において、機器装着用支持部材１００は、眼鏡フレームのツル部Ｔに押し付けられる第１押付部１０１ａを有する眼鏡取付部１０１と、眼鏡取付部１０１から眼鏡フレームのツル部Ｔに略平行に延在し、ウェアラブル機器Ｗが取り付けられる支持フレーム部１０２と、支持フレーム部１０２に結合され、装着者の頭部に当接される頭部当接部１０３とを具える。眼鏡取付部１０１と頭部当接部１０３により、機器装着用支持部材１００は簡単に取付が可能であるとともに、機器装着用支持部材１００が、眼鏡と装着者との２箇所で固定されるため、安定した装着が可能である。特に、眼鏡取付部１０１により装着者に対しての取付位置が位置決めされるとともに、頭部当接部１０３により脱落および眼鏡のツルに対して回転を防止することができる。
【００２６】
図１(b)に示すように、支持フレーム部１０２は、眼鏡フレームのツル部Ｔの外側に配置され、一方、頭部当接部１０３は、眼鏡フレームのツル部Ｔの内側に配置され、頭部形状に沿う方向すなわち眼鏡フレームのツル部Ｔの内側に湾曲する。これら支持フレーム部１０２および頭部当接部１０３は、眼鏡フレームのツル部Ｔを跨ぐ支持ブリッジ部１０４を介して連結される。図１(a),(b)において、支持ブリッジ部１０４は、眼鏡フレームのツル部Ｔの上側に跨がる。これにより、機器装着用支持部材１００が重力により下方に移動することを確実に防止することができる。
【００２７】
図１(a),(b)において、頭部当接部１０３は、眼鏡フレームのツル部Ｔに接する支点部１０３ａを有し、頭部当接部１０３が装着者の頭部によって外側に押し広げられることにより、第１押付部１０１ａが支点部１０３ａを支点として眼鏡フレームのツル部Ｔの外側から内側方向へ押し付けられるよう作用する構成を有する。このような構成とすることにより、第１押付部１０１ａおよび支点部１０３ａとツル部Ｔとの間には、それぞれ摩擦力が生じることになるため、上下方向、左右方向および前後方向のいずれの方向に対しても、機器装着用支持部材１００のずれを防止することができる。
【００２８】
また、頭部当接部１０３が、眼鏡フレームのツル部Ｔから離れる方向、すなわち装着者の頭部に沿う方向へ眼鏡フレームのツル部Ｔの内側に湾曲していることから、頭部当接部１０３と装着者の頭部との間にも摩擦力が生じ、機器装着用支持部材１００の眼鏡フレームのツル部Ｔを軸とした回転も防止することができる。
【００２９】
図２は、上述した機器装着用支持部材１００の頭部当接部１０３の作用を説明するための図であり、図２(a)は、ウェアラブル機器Ｗを装着した支持部材１００を取り付けた眼鏡フレームを、装着者に装着した状態を模式的に示す平面図であり、図２(b)は、図２(a)に示した状態を装着者の頭部の後方から見た背面図である。
【００３０】
図２(b)に示すように、ウェアラブル機器の自重により、機器装着用支持部材１００には、時計回りの方向に回転する力が働くが、頭部当接部１０３が装着者の頭部と眼鏡フレームのモダン部Ｍとで挟まれることにより、摩擦力が発生し、図中矢印で示される回転Ｒを妨げる。この摩擦力をより大きくするため、頭部当接部１０３を、頭部に沿って装着者の後方に長く延在する構成とする。かかる構成により、機器装着用支持部材１００は、眼鏡フレームのツル部Ｔおよび装着者の頭部に対して、安定的に掛止されることができる。
【００３１】
また、図１(a)に示すように、第１押付部１０１ａおよび／または支点部１０３ａを、眼鏡フレームのツル部Ｔの側面形状に沿った形状、例えばツル側に凹んだ形状とすることにより、機器装着用支持部材１００の上下方向へのずれをより確実に防止することができる。
【００３２】
図３は、上述した機器装着用支持部材１００の別の変形例の頭部当接部の作用を説明するための図であり、図３(a)は、機器装着用支持部材１００を取り付けた眼鏡フレームを装着者に装着した状態を模式的に示す平面図であり、図３(b)は、図３(a)に示した状態を装着者の頭部の後方から見た背面図である。
【００３３】
図３(a),(b)に示す例では、頭部当接部１０３が、装着者の頭部に沿って後方で、かつ下方にも湾曲しているため、図中矢印で示される回転Ｒに対して強い回転止めの効果を奏する。これは、上記回転Ｒが、頭部当接部１０３が頭部へ食い込む方向、すなわちこの頭部と頭部当接部１０３とが物理的に干渉を起こす方向であることから、機器装着用支持部材１００の回転を強く防止することができる。
【００３４】
図４(a)は、上述した機器装着用支持部材１００の頭部当接部１０３の変形例を示したものである。図４(a)において、頭部当接部１０３は、頭部形状に沿う方向すなわち眼鏡フレームのツル部Ｔの内側に湾曲した先端部が、装着者の頭部に沿った複数方向へ分岐または屈曲する。つまり、図４(a)は、頭部当接部１０３が頭部の後方へＹ字状に広がって分岐する。図４(d)は、図４(a)に示した頭部当接部の作用を説明するための図であり、図４(a)に示した状態を頭部の後方から見た背面図である。図４(d)に示す例は、頭部当接部１０３が装着者の頭部に沿って、後方に湾曲するだけでなく、下方にも上方にも分岐しているため、図中矢印Ｒで示した方向のウェアラブル機器Ｗの回転および矢印Ｒとは逆方向のウェアラブル機器Ｗの回転のいずれの回転に対しても強い回転止めの効果を奏する。
【００３５】
図４(b),(c)は、上述した機器装着用支持部材１００の頭部当接部１０３の変形例を示したものである。図４(b)において、頭部当接部１０３は、頭部の後方へ上下方向に広がって分岐し、図４(c)において、部当接部１０３は、頭部の後方へ上下に屈曲する。このような構成とすることにより、頭部による干渉を大きくすることができるため、機器装着用支持部材１００の眼鏡フレームのツル部Ｔを軸とした回転をより確実に防止することができる。
【００３６】
図４(d)は、図４(a)に示した頭部当接部の作用を説明するための図であり、図４(a)に示した状態を頭部の後方から見た背面図である。図４(d)に示す例は、頭部当接部１０３が装着者の頭部に沿って、後方に湾曲するだけでなく、下方にも上方にも分岐しているため、図中矢印Ｒで示した方向のウェアラブル機器Ｗの回転および矢印Ｒとは逆方向のウェアラブル機器Ｗの回転のいずれの回転に対しても強い回転止めの効果を奏する。
【００３７】
図５(a)〜(c)は、上述した機器装着用支持部材１００の眼鏡取付部周辺の変形例を示したものである。図５(a)〜(c)において、機器装着用支持部材１００は、支持フレームの先端に、移動防止部１０５を有する。この移動防止部は、機器装着用支持部材１００を眼鏡フレームに取り付けた際に、機器装着用支持部材１００の上下方向または左右方向の移動を防止する。
【００３８】
図５(a)に示す移動防止部１０５は、眼鏡フレームのツル部Ｔの上側に掛かる第１部分１０５ａと、眼鏡フレームのツル部Ｔの下側に掛かる第２部分１０５ｂとを有する。第１部分１０５ａは、機器装着用支持部材１００が重力により下方に移動すること有効に防止し、第２部分１０５ｂは、機器装着用支持部材１００が上方に移動することを有効に防止する。
【００３９】
図５(b)に示す移動防止部は、眼鏡フレームのツル部Ｔの上側に掛かる第１部分０５ａと、眼鏡フレームのツル部Ｔの外側に掛かる第３部分１０５ｃと、眼鏡フレームのツル部Ｔの内側に掛かる第４部分１０５ｄとを有する。第１部分１０５ａは、機器装着用支持部材１００が重力により下方に移動すること有効に防止し、第３部分１０５ｃおよび第４部分１０５ｄは、機器装着用支持部材１００が左右に移動することを有効に防止する。特に、図５(b)に示す移動防止部１０５は、門型の構造を有しているため、機器装着用支持部材１００を眼鏡フレームに装着する際に、機器装着用支持部材１００が眼鏡フレームから滑り落ち難くなり、装着操作を容易にする。
【００４０】
図５(c)に示す移動防止部１０５は、図５(b)に示した移動防止部１０５と同様の構成であるが、第１押付部１０１ａと上述した第３部分１０５ｃとを一体化して構成したものである。
【００４１】
図６(a)は、本発明の第２実施形態に従う機器装着用支持部材２００を模式的に示した斜視図であり、図６(b)は、図６(a)に示した機器装着用支持部材２００を取り付けた眼鏡フレームを装着者に装着した状態を示す模式図である。
【００４２】
図６(a),(b)において、機器装着用支持部材２００は、眼鏡フレームのツル部Ｔに押し付けられる第１押付部２０１ａを有する眼鏡取付部２０１と、眼鏡取付部２０１から眼鏡フレームのツル部Ｔに略平行に延在し、ウェアラブル機器が取り付けられる支持フレーム部２０２と、支持フレーム部２０２に結合され、装着者の頭部に当接される頭部当接部２０３とを具える。眼鏡取付部２０１と頭部当接部２０３により、機器装着用支持部材２００は簡単に取付が可能であるとともに、機器装着用支持部材２００が、眼鏡と装着者の２箇所で固定されるため、安定した装着が可能である。特に、眼鏡取付部２０１により装着者に対しての取付位置が位置決めされるとともに、頭部当接部２０３により脱落および眼鏡のツルに対して回転を防止することができる。
【００４３】
図６(b)に示すように、支持フレーム部２０２は、眼鏡フレームのツル部Ｔの外側に配置され、一方、頭部当接部２０３は、眼鏡フレームのツル部Ｔの内側に配置され、頭部形状に沿う方向すなわち眼鏡フレームのツル部Ｔの内側に湾曲する。これら支持フレーム部２０２および頭部当接部２０３は、眼鏡フレームのツル部Ｔの上側を跨ぐ支持ブリッジ部２０４を介して連結される。支持フレーム部２０２が眼鏡フレームの外側に配置されることにより、ウェアラブル機器が容易に取付可能である。
【００４４】
図６(a),(b)において、眼鏡取付部２０１の第１押付部２０１ａは、眼鏡フレームのツル部Ｔの内側に配置され、頭部当接部２０３は、眼鏡フレームのツル部Ｔの内側に押し付けられる第２押付部２０３ａを有する。
【００４５】
図６(a),(b)において、眼鏡取付部２０１は、支持フレーム部２０２に連結して眼鏡フレームのツル部Ｔの外側に配置される外側取付部２０１ｂと、第１押付部２０１ａおよび外側取付部２０１ｂを、眼鏡フレームのツル部Ｔの上側を跨って直接連結する取付ブリッジ部２０１ｃとをさらに有する。眼鏡取付部２０１は眼鏡フレームの内側および外側から押圧され挟まれる構造であるため安定して固定することができる。
【００４６】
このような構成とすることにより、支持部材２００を眼鏡フレームに取り付けた際に、外側取り付け部２０１ｂがツル部Ｔに対する支点となって、支持フレーム部２０２の弾性力により、第１押付部２０１ａが眼鏡フレームのツル部Ｔの内側から外側方向へ押し付けられ、第２押付部２０３ａが眼鏡フレームのツル部Ｔの内側から外側方向へ押し付けられる。これにより取付が容易であるとともに、装着時には安定して固定される。
【００４７】
このとき、眼鏡取付部２０１の外側取付部２０１ｂに連結する支持フレーム部２０２の一部分２０２ａは、支持フレーム部２０２の他の部分と比較してばね定数を小さくすると、ばねの撓みの強弱により、太いツルにも細いツルにも適合し易い。
【００４８】
第２実施形態における頭部当接部の変形例、眼鏡取付部周辺の変形例およびウェアラブル機器を取り付ける結合手段についても、上述した第１実施形態と同様に、図３〜４に示されるとおりである。
【００４９】
図７(a),(b)は、ウェアラブル機器Ｗを装着した支持部材２００を取り付けた眼鏡フレームを装着者の頭部に装着した場合の外観斜視図および部分平面図を示している。図７(a),(b)において、支持フレーム部２０２は、ウェアラブル機器を、取付姿勢を調整可能に取り付ける結合手段２０６を有する。例えばウェアラブル機器として、装着者の眼球への調整が必要な頭部装着型画像表示装置を装着する場合、このような結合手段２０６を用いることによって、さまざまな形の眼鏡フレームに対して、頭部装着型画像表示装置の射出瞳を装着者の眼球の視軸に合わせる調整が可能となる。
【００５０】
また、図７(a),(b)にそれぞれ示すように、上記結合手段２０６は、ウェアラブル機器を眼鏡フレームのツル部Ｔの延在方向に対してピッチ(図７(a))またはロール(図７(b))の少なくとも一つの方向に回転可能な機構を有する。さまざまな形の眼鏡フレームで特に寸法のばらつきが大きく出る頭部装着型画像表示装置の射出瞳と眼球の視軸のずれは上下方向であり、その上下方向の調整を、スライド機構よりも小型化が容易な回転機構で調整することができる。
なお、図７には第２実施形態の機器装着用支持部材２００を示したが、第１実施形態の機器装着用支持部材１００についても同様である。
【００５１】
図８(a)〜(c)は、上述した本発明の第２実施形態に従う機器装着用支持部材２００を眼鏡フレームに取り付ける方法の一例を示した図である。図８において、始めに頭部当接部２０３を眼鏡フレームのモダン部Ｍに引っ掛け(図８(a))、次いで眼鏡取付部２０１を眼鏡フレームのツル部Ｔに引っ掛ける(図８(b))。最後に、ウェアラブル機器Ｗを取り付ける(図８(c))。また、ウェアラブル機器Ｗを取り付けた状態の機器装着用支持部材２００を眼鏡フレームに固定してもよい。
【００５２】
図９(a)〜(d)は、上述した本発明の第２実施形態に従う機器装着用支持部材２００を眼鏡フレームに取り付ける別の方法の一例を示した図である。図９において、始めに眼鏡取付部２０１を眼鏡フレームのツル部Ｔに引っ掛け(図９(a))、次いで頭部当接部２０３を眼鏡フレームのモダン部Ｍに引っ掛ける(図９(b))。最後に、ウェアラブル機器Ｗを取り付ける(図９(c),(d))。また、ウェアラブル機器Ｗを取り付けた状態の機器装着用支持部材２００を眼鏡フレームに固定してもよい。
【００５３】
図１０は、上述した本発明の第２実施形態に従う機器装着用支持部材２００の支持ブリッジ部２０４の変形例および取付方法を示した図である。図１０(a)に示す機器装着用支持部材２００は、支持ブリッジ部２０４が眼鏡フレームのツル部Ｔの下側を跨ぐ。この場合、始めに頭部当接部２０３を装着者の頭部の耳部に引っ掛け(図１０(b))、次いで眼鏡取付部２０１を眼鏡フレームのツル部Ｔに引っ掛ける(図１０(c))。最後に、ウェアラブル機器Ｗを取り付ける。また、ウェアラブル機器Ｗを取り付けた状態の機器装着用支持部材２００を眼鏡フレームに固定してもよい。
【００５４】
図１１は、上述した本発明の第３実施形態に従う機器装着用支持部材３００を示した図であり、図１１(a)は、ウェアラブル機器Ｗが取り付けられた機器装着用支持部材を装着した眼鏡フレームを装着者が装着した状態を示す平面図であり、図１１(b)は、機器装着用支持部材３００を示す斜視図であり、図１１(c)は、図１１(b)に示した機器装着用支持部材３００を眼鏡フレームに装着した状態を示す斜視図である。
【００５５】
図１１に示すように、眼鏡取付部３０１は、支持フレーム部３０２に連結して眼鏡フレームのツル部Ｔの外側に配置される外側取付部３０１ｂと、第１押付部３０１ａおよび外側取付部３０１ｂを、眼鏡フレームのツル部Ｔの上側を跨って直接連結する取付ブリッジ部３０１ｃとを有する。第１押付部３０１ａは、取付ブリッジ部３０１ｃの弾性力により、眼鏡フレームのツル部の内側から外側方向へ押し付けられる。
【００５６】
また、図１２は、上述した本発明の第３実施形態に従う機器装着用支持部材の眼鏡取付部の変形例を示した図であり、図１２(a)は、ウェアラブル機器Ｗが取り付けられた機器装着用支持部材を装着した眼鏡フレームを装着者が装着した状態を示す平面図であり、図１２(b)は、機器装着用支持部材を眼鏡フレームに装着した状態を示す斜視図である。
【００５７】
図１２に示すように、眼鏡取付部３０１は、図１１と異なり、取付ブリッジ部３０１cが、第１押付部３０１ａと、支持フレーム部３０２とを連結している。すなわち、取付ブリッジ部３０１ｃは支持フレーム部３０２から分岐して延在する。外側取付部３０１ｂは、支持フレーム部３０２と連結されているため、第１押付部３０１ａは、取付ブリッジ部３０１ｃの弾性力により、眼鏡フレームのツル部の内側から外側方向へ押し付けられる。また、取付ブリッジ部３０１ｃは、図１２(c)に示すように、開口を有する幅広のばねにより構成することができ、これにより、ねじれを防止するとともに、バネ定数の調整が可能になるという効果を奏する。
【００５８】
本発明は、上記実施形態にのみ限定されるものではなく、幾多の変形または変更が可能である。
【符号の説明】
【００５９】
１００    機器装着用支持部材
１０１    眼鏡取付部
１０１ａ  第１押付部
１０２    支持フレーム部
１０３    頭部当接部
１０３ａ  支点部
１０４    支持ブリッジ部
２００    機器装着用支持部材
２０１    眼鏡取付部
２０１ａ  第１押付部
２０２    支持フレーム部
２０３    頭部当接部
２０３ａ  第２押付部
２０４    支持ブリッジ部
【図１】
0005530326.tif 000002
【図２】
0005530326.tif 000003
【図３】
0005530326.tif 000004
【図４】
0005530326.tif 000005
【図５】
0005530326.tif 000006
【図６】
0005530326.tif 000007
【図７】
0005530326.tif 000008
【図８】
0005530326.tif 000009
【図９】
0005530326.tif 000010
【図１０】
0005530326.tif 000011
【図１１】
0005530326.tif 000012
【図１２】
0005530326.tif 000013